(57)【要約】      （修正有）【課題】燃焼室の容積を変えることなく、中央突起部周辺において燃焼に寄与する空気を確保することができ、良好な燃焼を生起することのできる直接噴射式ディーゼルエンジンの燃焼室構造を提供すること。【解決手段】直接噴射式のディーゼルエンジンにおいて、ピストン８頂面に凹設された燃焼室１の中央突起部１４を、円錐部１４ａ、第１円錐台部１４ｂ、第２円錐台部１４ｃ、第３円錐台部１４ｄから構成し、斜面に凹部１６ａ、１６ｂ及び凸部１８ａ、１８ｂを形成する。【選択図】図１
2011117319.tif 000002
【特許請求の範囲】
【請求項１】
ピストン頂面に凹設された燃焼室を有し、前記燃焼室の開口部略中心部に臨んだ燃料噴射ノズルから前記燃焼室の周縁に向けて燃料が噴射される直接噴射式ディーゼルエンジンの燃焼室構造であって、
前記燃焼室の底部中央において、複数の円錐部または円錐台部の組み合わせにより構成され、隣接する円錐部または円錐台部との間で形成された凹部及び凸部をそれぞれ少なくとも１箇所有した斜面をなす中央突起部を備えることを特徴とする直接噴射式ディーゼルエンジンの燃焼室構造。
【請求項２】
前記凹部は、燃料噴霧の燃焼開始領域に対応する位置に形成され、
前記凸部は、前記凹部に対し比較的燃焼に寄与しない領域に形成されていることを特徴とする請求項１記載の直接噴射式ディーゼルエンジンの燃焼室構造。
【請求項３】
前記中央突起部の凹部は、隣接する円錐部または円錐台部について、前記中央突起部の先端側の円錐部または円錐台部の底面積に対し、前記中央突起部の底部側の円錐台部の上面積が大きいことで形成されていることを特徴とする請求項１または２記載の直接噴射式ディーゼルエンジンの燃焼室構造。
【請求項４】
前記中央突起部の凹部は、隣接する円錐部または円錐台部について、前記中央突起部の先端側の円錐部または円錐台部の斜面角度に対し、前記中央突起部の底部側の円錐台部の斜面角度が小さいことで形成されていることを特徴とする請求項１から３のいずれかに記載の直接噴射式ディーゼルエンジンの燃焼室構造。
【発明の詳細な説明】
【技術分野】
【０００１】
本発明は、燃焼室内に直接燃料を噴射する直接噴射式ディーゼルエンジンの燃焼室構造に関する。
【背景技術】
【０００２】
直接噴射式ディーゼルエンジンは、ピストン頂面に燃焼室（キャビティ）が凹設され、圧縮行程時に当該燃焼室内に燃料が噴射されることで、自己着火による燃焼が生起される。
当該燃焼室形状には、種々の形状があるが代表的な形状として、ピストン頂面に形成されている開口部径より燃焼室内部の径が大きく形成された、いわゆるリエントラント形状がある。一般に当該リエントラント形状では、燃焼室周縁が円環状（トロイダル状）をなし、中央部にはピストン頂面側に隆起した中央突起部が形成されている。
【０００３】
また、燃焼室内に燃料を噴射するインジェクタは、燃料噴射ノズルが燃焼室開口部の中心部に対応する位置に臨んでおり、燃焼室周縁に向けて放射状に高圧燃料を霧状に噴射する。そして、噴射された燃料が空気中の酸素と混合されることで燃焼が生起されるが、燃焼の安定性等は燃焼室形状や、空気流、即ち吸入空気のスワール流等の条件に左右される。
排ガス性能改善や燃費性能の向上を図るためには、所望の燃焼を生起できることが必要であり、噴射された燃料噴霧に対し適切に空気を混合できる燃焼室形状が望まれる。
【０００４】
しかし、燃焼室形状の設計においては、圧縮比や、ピストン径、ピストンの長さ（深さ）等の制約を受ける。例えば、圧縮比を一定とした場合、空気を多く取り入れるよう燃焼室の開口部径を拡げれば、燃焼室の深さは浅くなり燃焼の火炎が燃焼室から漏れやすくなる。一方、開口部径を狭くすれば空気の取り込み量が減少し、十分な空気量を得られなくなる。
そこで、ピストン頂面の主キャビティに加え、シリンダヘッド下面に副キャビティを形成した燃焼室構造が知られている（特許文献１参照）。このような燃焼室構造とすることで、スキッシュ流の一部により副キャビティ内で渦流を生成するとともに、主キャビティ内に生成される渦流の勢いを弱くすることで、燃焼室容積を確保しつつ、主キャビティ内での乱れエネルギの大きい部分をピストン頂面寄りに移動させ、スモーク低減を図っている。
【先行技術文献】
【特許文献】
【０００５】
【特許文献１】特開平９−３２５６０号公報
【発明の概要】
【発明が解決しようとする課題】
【０００６】
しかしながら、上記特許文献１に開示された技術では、シリンダヘッド下面に副キャビティという新たな空間を形成しなければならず、燃焼室構造が複雑化する上、加工の工数が増加するという問題がある。
また、上記特許文献１では燃焼室周縁に生じるスキッシュ流を利用しているが、スキッシュ流だけでは燃焼室の中央部分、即ち中央突起周辺の空気を有効に活用することは困難である。
【０００７】
本発明はこのような問題を解決するためになされたもので、その目的とするところは、燃焼室の容積を変えることなく、中央突起部周辺において燃焼に寄与する空気を確保することができ、良好な燃焼を生起することのできる直接噴射式ディーゼルエンジンの燃焼室構造を提供することにある。
【課題を解決するための手段】
【０００８】
上記した目的を達成するために、請求項１の直接噴射式ディーゼルエンジンの燃焼室構造では、ピストン頂面に凹設された燃焼室を有し、前記燃焼室の開口部略中心部に臨んだ燃料噴射ノズルから前記燃焼室の周縁に向けて燃料が噴射される直接噴射式ディーゼルエンジンの燃焼室構造であって、前記燃焼室の底部中央において、複数の円錐部または円錐台部の組み合わせにより構成され、隣接する円錐部または円錐台部との間で形成された凹部及び凸部をそれぞれ少なくとも１箇所有した斜面をなす中央突起部を備えることを特徴としている。
【０００９】
請求項２の直接噴射式ディーゼルエンジンの燃焼室構造では、請求項１において、前記凹部は、燃料噴霧の燃焼開始領域に対応する位置に形成され、前記凸部は、前記凹部に対し比較的燃焼に寄与しない領域に形成されていることを特徴としている。
請求項３の直接噴射式ディーゼルエンジンの燃焼室構造では、請求項１または２において、前記中央突起部の凹部は、隣接する円錐部または円錐台部について、前記中央突起部の先端側の円錐部または円錐台部の底面積に対し、前記中央突起部の底部側の円錐台部の上面積が大きいことで形成されていることを特徴としている。
【００１０】
請求項４の直接噴射式ディーゼルエンジンの燃焼室構造では、請求項１から３のいずれかにおいて、前記中央突起部の凹部は、隣接する円錐部または円錐台部について、前記中央突起部の先端側の円錐部または円錐台部の斜面角度に対し、前記中央突起部の底部側の円錐台部の斜面角度が小さいことで形成されていることを特徴としている。
【発明の効果】
【００１１】
上記手段を用いる本発明の請求項１の直接噴射式ディーゼルエンジンの燃焼室構造によれば、直接噴射式ディーゼルエンジンの燃焼室構造において、燃焼室の底部中央において、複数の円錐部または円錐台部の組み合わせにより構成され、隣接する円錐部または円錐台部との間で形成された凹部及び凸部をそれぞれ少なくとも１箇所有した斜面をなす中央突起部を備えることとする。
【００１２】
このように中央突起部の斜面に少なくとも１箇所凹部が形成されていることで、当該凹部に空気を確保することができる。このように中央突起部の斜面に凹部を形成すればその分燃焼室の容積は増大し、圧縮比が変化してしまうが、少なくとも１箇所凸部を形成することで、燃焼室の容積の増大を防ぐことができる。
また、このような中央突起部を円錐部及び円錐台部の組み合わせにより構成することで、凹部及び凸部を適切な位置に容易に形成することができ、中央突起先端と噴射ノズルとの距離も容易に設定することができる。
【００１３】
以上のことから、燃焼室の容積を変えることなく、中央突起部周辺において燃焼に寄与する空気を確保することができ、良好な燃焼を生起することができる。
請求項２の直接噴射式ディーゼルエンジンの燃焼室構造によれば、凹部を燃料噴霧の燃焼開始領域に対応した位置に形成し、凸部を凹部に対し比較的燃焼に寄与しない領域に形成する。
【００１４】
このように燃焼開始領域に対応した位置に凹部を形成することで、燃焼開始に寄与する空気を十分に確保することができ、安定した燃焼を生起することができる。一方で、凸部は比較的燃焼に寄与しない領域に設けることで、燃焼の安定性を維持しつつ燃焼室の容積の一定に保つことができる。
請求項３の直接噴射式ディーゼルエンジンの燃焼室構造によれば、中央突起部の凹部を、隣接する円錐部または円錐台部について、中央突起部の先端側の円錐部または円錐台部の底面積に対し、中央突起部の底部側の円錐台部の上面積を大きくすることで形成する。これにより、円錐部または円錐台部の組み合わせで容易に中央突起部の斜面に凹部を形成することができる。
【００１５】
請求項４の直接噴射式ディーゼルエンジンの燃焼室構造によれば、中央突起部の凹部を、隣接する円錐部または円錐台部について、中央突起部の先端側の円錐部または円錐台部の斜面角度に対し、中央突起部の底部側の円錐台部の斜面角度を小さくすることで形成する。これにより、円錐部または円錐台部の組み合わせで容易に中央突起部の斜面に凹部を形成することができる。
【図面の簡単な説明】
【００１６】
【図１】本発明に係る直接噴射式ディーゼルエンジンの燃焼室構造の実施形態における燃焼室の断面図である。
【図２】本発明に係る直接噴射式ディーゼルエンジンの燃焼室構造の実施形態における中央突起部の構成図である。
【図３】本発明に係る直接噴射式ディーゼルエンジンの燃焼室構造の実施形態における燃料噴霧状態を時系列で示した断面図である。
【発明を実施するための形態】
【００１７】
以下、本発明の実施の形態を図面に基づき説明する。
図１には本発明に係る直接噴射式ディーゼルエンジンの燃焼室構造の実施形態における燃焼室の断面図、図２には中央突起の構成図がそれぞれ示されている。
図１に示す燃焼室１は、直接燃料が噴射されるいわゆる直接噴射式ディーゼルエンジンの燃焼室である。
【００１８】
当該ディーゼルエンジンは、シリンダブロック２にシリンダヘッド４が載置されており、シリンダブロック２内に形成された円筒状のシリンダ６にピストン８が上下摺動自在に嵌挿されている。
燃焼室１はピストン８の頂面に凹設されており、ピストン頂面の開口部１０の径よりも燃焼室内部の径の方が大きく形成された、いわゆるリエントラント形状をなしている。そして、燃焼室１は、周縁部１２が円環状（トロイダル状）をなし、底部中央にはピストン頂面側に隆起した中央突起部１４が形成されている。
【００１９】
また、中央突起部１４は、複数の円錐部及び円錐台部を組み合わせて積層した形状をなしている。
詳しくは図２（ａ）、（ｂ）に示すように、当該中央突起１４は、先端から底部に向けて順に、円錐部１４ａ、第１円錐台部１４ｂ、第２円錐台部１４ｃ、第３円錐台部１４ｄからなり、これら円錐部１４ａ及び円錐台部１４ｂ、１４ｃ、１４ｄはそれぞれ燃焼室１の中心線Ｏを軸とした回転体形状をなしている。
【００２０】
そして、当該中央突起部１４は、これら円錐部１４ａ及び円錐台部１４ｂ、１４ｃ、１４ｄの組み合わせに応じて、斜面に凹部及び凸部が形成されている。
例えば、図２（ｂ）に分解図として示すように、円錐部１４ａ及び第１円錐台部１４ｂは、円錐部１４ａの底面積ＳＢａより円錐台部１４ｂの上面積ＳＴｂの方が大きいため、当該円錐部１４ａの斜面及び第１円錐台部１４ｂの上面との間で第１凹部１６ａを形成している。一方で、第１円錐台部１４ｂの上面と当該第１円錐台部１４ｂの斜面とでは第１凸部１８ａを形成している。
【００２１】
また、第１円錐台部１４ｂから第３円錐台部１４ｄは、隣接する各部の底面積と上面積が一致している。つまり、第１円錐台部１４ｂの底面積ＳＢｂ及び第２円錐台部１４ｃの上面積ＳＴｃ、第２円錐台部１４ｃの底面積ＳＢｃ及び第３円錐台部１４ｄの上面積ＳＴｄがそれぞれ一致している（ＳＢｂ＝ＳＴｃ、ＳＢｃ＝ＳＴｄ）。このような関係にあっって、円錐部１４ａの斜面角度θａ、第１円錐台部１４ｂの斜面角度θｂ、第２円錐台部１４ｃの斜面角度θｃ、第３円錐台部１４ｄの斜面角度θｄとすると、第１円錐台部１４ｂから第３円錐台部１４ｄにおいて、隣接する各部の斜面角度がθｂ＞θｃ、θｃ＜θｄとなり、大小関係が交互入れ替わる関係にある。これにより、第１円錐台部１４ｂの斜面と第２円錐台部１４ｃの斜面との間では第２凹部１６ｂを、第２円錐台部１４ｃの斜面と第３円錐台部１４ｄの斜面との間では第２凸部１８ｂを形成している。
【００２２】
このように、隣接する円錐部または円錐台部において、中央突起部１４の先端側の底面積より底部側の上面積を大きくするか、先端側及び底部側の斜面の角度を異ならせることで、中央突起部１４に凹部１６ａ、１６ｂ及び凸部１８ａ、１８ｂを形成している。
この中央突起部１４の凹部１６ａ、１６ｂの位置は、燃焼室１内に噴射された燃焼噴霧において燃焼が生じ始める燃焼開始領域に対応した位置に形成されている。一方、凸部１８ａ、１８ｃは凹部１６ａ、１６ｂに比べて、燃焼に寄与しにくい領域に形成されており、上記凹部１６ａ、１６ｂにより増加する燃焼室１の容積分突出している。
【００２３】
このように構成された燃焼室１に対し、シリンダヘッド４にインジェクタ２０が設けられており、インジェクタ２０の燃料噴射ノズル２０ａは燃焼室１の開口部１０の中心に臨んで設けられている。当該燃料噴射ノズル２０ａからは、燃焼室１の周縁部１２に向けて放射状に燃料が噴射される。なお、上記中央突起部１４の先端は、ピストン８が上死点（ＴＤＣ）まで上昇したときに、当該燃料噴射ノズル２０ａと接近する高さに構成されている。
【００２４】
以下このように構成された本発明に係る直接噴射式ディーゼルエンジンの燃焼室構造の作用について説明する。
図３には、本実施形態における燃料噴霧状態を時系列で示した断面図が示されている。
図３（ａ）に示すように、ピストン８が上昇する圧縮行程において、燃料噴射の開始初期では、燃料噴射ノズル２０ａから噴射された燃料噴霧Ｆは、中央突起１４先端から離れた距離にある。この時はまだ燃焼室内の温度が燃料の着火温度に達しておらず、燃料噴霧Ｆに燃焼は生じない。
【００２５】
次に図３（ｂ）に示すように、燃料噴射中期では、ピストン８上昇により燃焼室１が燃焼ノズル２０ａ側に近づくとともに、燃料噴霧Ｆも燃焼室１の周縁部１２側へと進行する。また、圧縮に伴い燃焼室１内の温度が燃料の着火点に達することで、十分霧化され空気と混合が進んだ燃料噴霧Ｆの先端部分で燃焼が始める。このとき中央突起部１４において、この燃焼開始領域に最も近い位置にあるのは第２凹部１６ｂであり、当該第２凹部１６ｂにある空気が有効に使用され、燃焼は良好に生起される。
【００２６】
続いて図３（ｃ）に示すように、ピストン８がＴＤＣまで上昇する燃料噴射後期においても、第２凹部１６ｂ近傍の空気を使用して燃焼が継続される。そして、燃焼火炎は矢印で示すように燃焼室周縁部１２にてスワール流に沿って渦状に拡がる。当該周縁部には空気が十分にあり、当該空気が使用されることで燃焼が促進されていく。これに対し、燃焼開始位置と周縁部１２との間の領域の空気は比較的燃焼に寄与しにくく、ここには第２凸部１８ｂが位置している。また、ＴＤＣ時には中央突起１４先端は燃料噴射ノズル２０ａに接近するが当該噴射ノズル２０ａ近傍も比較的燃焼に寄与しにくい領域であり、ここには第１凸部１６ａが位置している。
【００２７】
このように、本実施形態では、中央突起部１４の斜面に２箇所の凹部１６ａ、１６ｂが形成されており、当該凹部１６ａ、１６ｂにて空気を確保することができる。一方で、中央突起部１４の斜面に凹部１６ａ、１６ｂを形成すればその分燃焼室１の容積は増大し、圧縮比が変化してしまうが、２箇所の凸部１８ａ、１８ｂを形成することで、燃焼室１の容積の増大を防ぐことができる。
【００２８】
さらに第２凹部１６ｂは、燃料噴霧の燃焼開始領域に対応した位置に形成されており、これにより燃焼開始に寄与する空気を十分に確保することができ、安定した燃焼を生起することができる。一方で、第１凸部１８ａ及び第２凸部１８ｂは比較的燃焼に寄与しない領域に設けられており、これにより燃焼の安定性を維持しつつ燃焼室１の容積の一定に保つことができる。
【００２９】
また、凹部１６ａ、１６ｂ及び凸部１８ａ、１８ｂは、隣接する円錐部及び円錐台部の底面積及び上面積の関係、または斜面角度の関係に基づき形成しており、このように円錐部１４ａ及び円錐台部１４ｂ、１４ｃ、１４ｄの組み合わせから、凹部１６ａ、１６ｂ及び凸部１８ａ、１８ｂを適切な位置に容易に形成することができ、且つ中央突起部１４先端と噴射ノズル２０ａとの距離も容易に設定することができる。
【００３０】
これらのことから、本実施形態の直接噴射式ディーゼルエンジンの燃焼室構造では、燃焼室１の容積を変えることなく、中央突起部１４周辺において燃焼に寄与する空気を確保することができ、良好な燃焼を生起することができる。
以上で本発明に係る直接噴射式ディーゼルエンジンの燃焼室構造の実施形態についての説明を終えるが、実施形態は上記実施形態に限られるものではない。
【００３１】
例えば、上記実施形態では、燃焼室１の中央突起部１４は、先端から底部に向けて順に円錐部１４ａ、第１円錐台部１４ｂ、第２円錐台部１４ｃ、第３円錐台部１４ｄから構成されているが、当該中央突起部１４の構成はこれに限られるものではなく、燃料噴射の方向や燃料噴霧の形状に応じて円錐部または円錐台部の組み合わせを変えてもよい。例えば、円錐部を有さず中央突起先端部に円錐台部を形成した構成や、より多くの円錐台部から構成した中央突起部であっても構わない。
【符号の説明】
【００３２】
１  燃焼室
８  ピストン
１０  開口部
１２  周縁部
１４ａ  円錐部
１４ｂ  第１円錐台部
１４ｃ  第２円錐台部
１４ｄ  第３円錐台部
１６ａ  第１凹部
１６ｂ  第２凹部
１８ａ  第１凸部
１８ｂ  第２凸部
２０ａ  燃料噴射ノズル
【図１】
2011117319.tif 000003
【図２】
2011117319.tif 000004
【図３】
2011117319.tif 000005